(57)【要約】【課題】内視鏡の挿入性を確保しつつ、有色の体液を排除して臓器内の観察を容易に行うことを可能とする。【解決手段】内視鏡の挿入部３の先端面３ａを覆う位置に取り付けられ、挿入部３の先端部を前方に向かって先細に構成する先鋭端形成手段６と、該先鋭端形成手段６の少なくとも一部に設けられ、挿入部３に設けられたチャネル５を介して導入される拡張手段により膨張させられる透明な膜状部材４とを備える内視鏡用アダプタ１を提供する。【選択図】図２
2010253174.tif 000002
【特許請求の範囲】
【請求項１】
内視鏡の挿入部の先端面を覆う位置に取り付けられ、前記挿入部の先端部を前方に向かって先細に構成する先鋭端形成手段と、該先鋭端形成手段の少なくとも一部に設けられ、挿入部に設けられたチャネルを介して導入される拡張手段により膨張させられる透明な膜状部材とを備える内視鏡用アダプタ。
【請求項２】
前記先鋭端形成手段が、前記挿入部の先端に固定される先細形状のキャップを備え、
該キャップが、その一部に開口部を有し、
前記膜状部材が、前記開口部を閉塞するように配置されている請求項１に記載の内視鏡用アダプタ。
【請求項３】
前記拡張手段が、前記チャネルを介して挿入部の先端面から吐出される透明な液体である請求項２に記載の内視鏡用アダプタ。
【請求項４】
前記拡張手段が、前記チャネルを介して挿入部の先端面から突出させられるワイヤである請求項２に記載の内視鏡用アダプタ。
【請求項５】
前記膜状部材が、前記挿入部の先端面を覆って外周面に取り付けられたバルーン部材であり、
前記先鋭端形成手段が、前記内視鏡の挿入部の先端面から前方に突出し、前記バルーン部材を略円錐状に張るシャフトを備える請求項１に記載の内視鏡用アダプタ。
【請求項６】
前記シャフトが、前記挿入部に設けられた前記チャネルを介して先端面から出没する方向に移動可能に挿入されている請求項５に記載の内視鏡用アダプタ。
【請求項７】
前記シャフトに長手方向に貫通する処置用チャネルが設けられ、
該処置用チャネルの先端開口部に対応する位置において前記バルーン部材に貫通孔が設けられている請求項６に記載の内視鏡用アダプタ。
【請求項８】
前記拡張手段が、前記シャフトと前記チャネルとの間の隙間を介して挿入部の先端面から吐出される透明な液体である請求項６または請求項７に記載の内視鏡用アダプタ。
【請求項９】
前記拡張手段が、前記シャフトと前記チャネルとの間の隙間を介して挿入部の先端面から突出させられるワイヤである請求項６または請求項７に記載の内視鏡用アダプタ。
【請求項１０】
長手方向に延びるチャネルを有する細長い挿入部の先端に、該先端を先細に形成する先鋭端形成部と、該先鋭端形成部の少なくとも一部に設けられた開口部を閉塞するように設けられ、前記チャネルを介して導入される拡張手段により膨張させられる透明な膜状部材とを備える内視鏡装置。
【請求項１１】
前記拡張手段が、前記チャネルを介して挿入部の先端面から吐出される透明な液体である請求項１０に記載の内視鏡装置。
【請求項１２】
前記拡張手段が、前記チャネルを介して挿入部の先端面から突出させられるワイヤである請求項１０に記載の内視鏡装置。
【発明の詳細な説明】
【技術分野】
【０００１】
本発明は、内視鏡用アダプタおよび内視鏡装置に関するものである。
【背景技術】
【０００２】
従来、血液や尿などの色の付いた体液を保有する臓器内の観察を行うために、バルーンカテーテルを挿入してバルーンを膨張させることにより体液を排除し、観察を行う手法が知られている（例えば、特許文献１参照。）。
【先行技術文献】
【特許文献】
【０００３】
【特許文献１】特開平３−２８４２６５号公報
【発明の概要】
【発明が解決しようとする課題】
【０００４】
しかしながら、従来のバルーンカテーテルによる観察方法は、バルーンカテーテルを臓器内に導入するために、予め内視鏡を導入し、内視鏡に備えられた鉗子チャネルを介してバルーンカテーテルを臓器内まで導入していくことが必要となる。この場合に、内視鏡は、通常先端が平坦であるため、狭い体腔内に挿入していく際の挿入性が悪いという不都合がある。
【０００５】
本発明は上述した事情に鑑みてなされたものであって、内視鏡の挿入性を確保しつつ、有色の体液を排除して臓器内の観察を容易に行うことを可能とする内視鏡用アダプタおよび内視鏡装置を提供することを目的としている。
【課題を解決するための手段】
【０００６】
上記目的を達成するために、本発明は以下の手段を提供する。
本発明は、内視鏡の挿入部の先端面を覆う位置に取り付けられ、挿入部の先端部を前方に向かって先細に構成する先鋭端形成手段と、該先鋭端形成手段の少なくとも一部に設けられ、挿入部に設けられたチャネルを介して導入される拡張手段により膨張させられる透明な膜状部材とを備える内視鏡用アダプタを提供する。
【０００７】
本発明によれば、内視鏡の挿入部の先端に内視鏡用アダプタを取り付けると、先鋭端形成手段によって、挿入部の先端面の前方に先細の先端部が構成される。これにより、内視鏡の先端面が平坦であっても、先鋭端形成手段によって先細に形成された先端部により、狭い体腔や臓器内に容易に挿入することができる。そして、先鋭端形成手段にはその一部に膜状部材が設けられているので、チャネルを介して導入される拡張手段によって、膜状部材を膨張させることにより、臓器あるいは体腔内の体液を排除して臓器内壁あるいは体腔内壁の状態を内視鏡により鮮明に観察することが可能となる。
【０００８】
上記発明においては、前記先鋭端形成手段が、前記挿入部の先端に固定される先細形状のキャップを備え、該キャップが、その一部に開口部を有し、前記膜状部材が、前記開口部を閉塞するように配置されていてもよい。
このようにすることで、挿入部の先端にキャップを取り付けて、キャップの先細形状によって挿入性を向上し、キャップに設けられた開口部の膜状部材を膨張させることで、体液を排除して臓器内壁あるいは体腔内壁の内視鏡による鮮明な観察を容易にすることができる。
【０００９】
また、上記発明においては、前記拡張手段が、前記チャネルを介して挿入部の先端面から吐出される透明な液体であってもよい。
このようにすることで、膜状部材を簡易に膨張させて、体液の排除を容易に行うことができる。
【００１０】
また、上記発明においては、前記拡張手段が、前記チャネルを介して挿入部の先端面から突出させられるワイヤであってもよい。
このようにすることで、ワイヤによって押された膜状部材が膨張させられることにより、体液の排除を容易に行うことができる。
【００１１】
また、上記発明においては、前記膜状部材が、前記挿入部の先端面を覆って外周面に取り付けられたバルーン部材であり、前記先鋭端形成手段が、前記内視鏡の挿入部の先端面から前方に突出し、前記バルーン部材を略円錐状に張るシャフトを備えていてもよい。
このようにすることで、挿入部の先端面を覆うようにバルーン部材を被せると、挿入部の先端面から突出するシャフトによってバルーン部材が略円錐状の先細形状に形成される。これにより、狭い臓器あるいは体腔内への挿入部の挿入性を向上することができ、チャネルを介して供給する拡張手段によってバルーン部材を膨張させて、視界を確保することができる。
【００１２】
また、上記発明においては、前記シャフトが、前記挿入部に設けられた前記チャネルを介して先端面から出没する方向に移動可能に挿入されていてもよい。
このようにすることで、チャネルを介してシャフトを先端面から突出させて膜状部材を弾性変形させることにより、先細形状の先鋭度を調節することができる。
【００１３】
また、上記発明においては、前記シャフトに長手方向に貫通する処置用チャネルが設けられ、該処置用チャネルの先端開口部に対応する位置において前記バルーン部材に貫通孔が設けられていてもよい。
このようにすることで、シャフトによって張られたバルーン部材を拡張手段によって膨張させて視界を確保した後、処置すべき部位が特定された場合に、シャフト内を貫通して設けられた処置用チャネルを介して処置具を挿入し、シャフトの先端開口部およびバルーン部材の貫通孔を介して処置具を前方に突出させ、処置を行うことができる。
【００１４】
また、上記発明においては、前記拡張手段が、前記シャフトと前記チャネルとの間の隙間を介して挿入部の先端面から吐出される透明な液体であってもよい。
このようにすることで、チャネル内にシャフトを移動可能に配することにより、シャフトとチャネルとの間に隙間が形成される。そして、該隙間を介して透明な液体を供給することにより、挿入部の先端面からバルーン部材内に透明な液体が供給され、バルーン部材が膨張させられて視界を確保することができる。
【００１５】
また、上記発明においては、前記拡張手段が、前記シャフトと前記チャネルとの間の隙間を介して挿入部の先端面から突出させられるワイヤであってもよい。
このようにすることで、シャフトとチャネルとの間に形成された隙間を介してワイヤを供給することにより、挿入部の先端面からワイヤが供給され、ワイヤによって押されたバルーン部材が膨張させられて視界を確保することができる。
【００１６】
また、本発明は、長手方向に延びるチャネルを有する細長い挿入部の先端に、該先端を先細に形成する先鋭端形成部と、該先鋭端形成部の少なくとも一部に設けられた開口部を閉塞するように設けられ、前記チャネルを介して導入される拡張手段により膨張させられる透明な膜状部材とを備える内視鏡装置を提供する。
【００１７】
本発明によれば、挿入部の先端に設けられた先鋭端形成部によって、挿入部の先端が先細に形成されて、狭い臓器や体腔内への挿入性が向上されるとともに、先鋭端形成部に設けられた膜状部材を拡張手段により膨張することで、体液を排除して視界を確保することができる。
【００１８】
本発明においては、前記拡張手段が、前記チャネルを介して挿入部の先端面から吐出される透明な液体であってもよい。
また、上記発明においては、前記拡張手段が、前記チャネルを介して挿入部の先端面から突出させられるワイヤであってもよい。
【発明の効果】
【００１９】
本発明によれば、内視鏡の挿入性を確保しつつ、有色の体液を排除して臓器内の観察を容易に行うことができるという効果を奏する。
【図面の簡単な説明】
【００２０】
【図１】本発明の一実施形態に係る内視鏡用アダプタを示す縦断面図である。
【図２】図１の内視鏡用アダプタを内視鏡の挿入部に装着した状態を示す部分的な斜視図である。
【図３】図１の内視鏡用アダプタを挿入部に装着する際の内視鏡の基端側における固定方法を説明する縦断面図である。
【図４】図３の状態からブッシュを締結し、シャフトを処置用ポートに固定した状態を示す縦断面図である。
【図５】図１の内視鏡用アダプタを内視鏡の挿入部に装着して供給ポートから流体を供給している状態を示す縦断面図である。
【図６】図５の流体の供給により膨張したバルーン部材を示す斜視図である。
【図７】図１の内視鏡用アダプタの変形例を示す縦断面図である。
【図８】図１の内視鏡用アダプタの他の変形例を示す縦断面図である。
【図９】図５の流体に代えて、ワイヤによりバルーン部材を膨張させる場合を示す縦断面図である。
【発明を実施するための形態】
【００２１】
本発明の一実施形態に係る内視鏡用アダプタ１について、図面を参照して以下に説明する。
本実施形態に係る内視鏡用アダプタ１は、図１および図２に示されるように、内視鏡の挿入部３の先端面３ａを覆う位置に取り付けられる透明な材質からなるバルーン部材（膜状部材）４と、挿入部３に長手方向に沿って設けられた鉗子チャネル５内を介して挿入部３の先端面３ａから突出させられるシャフト（先鋭端形成手段）６とを備えている。
【００２２】
バルーン部材４は、開口部７を有する袋状の形状を有し、その開口部７を挿入部３先端の外周面に外装して密着させることにより、挿入部３の先端面３ａの前方に密封された空間Ａを形成するようになっている。
シャフト６は、可撓性を有していて、挿入部３の湾曲形状に合わせて鉗子チャネル５内において湾曲させられる一方、軸方向の剛性を有していて、軸方向に押されたときに鉗子チャネル５内を進退させることができる材質により構成されている。
【００２３】
シャフト６は、図３に示されるように、挿入部３の基端側に設けられた処置用ポート８から鉗子チャネル５内に挿入され、処置用ポート８において、挿入部３の先端面３ａからの突出長さが調節されるようになっている。具体的には、処置用ポート８とシャフト６との間に配置された弾性材料からなるリング状のシール部材９を、処置用ポート８に締結するブッシュ１０によって軸方向に圧縮することにより、図４に示されるように、シール部材９を半径方向内方に膨張させて、処置用ポート８とシャフト６との間の隙間を密閉し、これによってシャフト６を処置用ポート８に固定することができるようになっている。
【００２４】
シャフト６には、その半径方向の中央に、長手方向に貫通する処置用チャネル１１が設けられている。したがって、処置用チャネル１１は、挿入部３の基端側から、先端面３ａの前方に突出するシャフト６の先端まで貫通して設けられ、処置用ポート８から処置用チャネル１１内に挿入した処置具（図示略）を挿入部３の先端面３ａの前方まで導くことができるようになっている。
【００２５】
バルーン部材４には開口部４ａが設けられ、その開口部４ａの周縁がシャフト６の先端の処置用チャネル１１の先端開口部１１ａの周縁に密封状態に接着されている。これにより、バルーン部材４とシャフト６の外面および挿入部３の先端面３ａとの間に囲まれる空間Ａは密封される一方、処置用チャネル１１を介して導入されてきた処置具を先端開口部１１ａおよび開口部４ａからバルーン部材４の外部に突出させて処置を行うことができるようになっている。
【００２６】
また、シャフト６は挿入部３に設けられた鉗子チャネル５の内径寸法よりも十分に小さい外径寸法を有し、鉗子チャネル５内に挿入された状態で、鉗子チャネル５の内面との間に管状の隙間を形成するようになっている。
図５に示されるように、この管状の隙間には挿入部３の先端面３ａの鉗子チャネル５の開口部から吐出させる流体Ｂを供給する供給ポート１２が接続されている。
【００２７】
図３に矢印Ｃで示されるように、シャフト６を挿入部３に対して処置用ポート８から軸方向に押し込むと、シャフト６の先端が挿入部３の先端面３ａに対して前方に移動させられるので、シャフト６の先端に接着されているバルーン部材４が引っ張られて略円錐状に張られ、先端に向かって先細となる形状に形成されるようになっている。
【００２８】
このように構成された本実施形態に係る内視鏡用アダプタ１の作用について以下に説明する。
本実施形態に係る内視鏡用アダプタ１を用いて内視鏡による臓器内の観察を行うには、内視鏡の挿入部３の先端に開口している鉗子チャネル５内に内視鏡用アダプタ１を構成するシャフト６の一端を挿入し、図３に示されるように、挿入部３の基端側に配置されている処置用ポート８から突出させる。
【００２９】
この状態で、シャフト６の他端は、挿入部３の先端面３ａ側から突出した状態に残っているので、このシャフト６の他端に接着されているバルーン部材４を内視鏡の挿入部３の先端に装着する。バルーン部材４の装着は、バルーン部材４の開口部７を広げて挿入部３の先端外周面に被せることによりバルーン部材４の弾性によって締め付けることとしてもよいし、先端外周面とバルーン部材４内面とを接着することにしてもよい。
【００３０】
そして、処置用ポート８から突出したシャフト６を軸方向に移動させて、挿入部３の先端面３ａからの突出量を調節する。これにより、シャフト６によってバルーン部材４を張って、略円錐状の形態に形成することができる。また、シャフト６の突出量は、挿入部３の基端側の処置用ポート８とシャフト６との間に挿入されたシール部材９をブッシュ１０の締結によって圧縮することにより、挿入部３に対してシャフト６を固定することで決定することができる。
【００３１】
このようにすることで、内視鏡用アダプタ１を含む挿入部３先端の形態を段差が少ない先細に構成することができ、先端面の面積をシャフト６の端面の面積まで縮小して狭い臓器内への挿入性を向上することができる。この場合に、シャフト６の突出量をバルーン部材４の弾性変形の範囲内において増減させることによって、先細の形態や硬さを調節することができ、より多く突出させるとより先細の形態を構成することができる。
【００３２】
このように内視鏡用アダプタ１を取り付けた挿入部３を先端から臓器内に挿入していく。この場合に、バルーン部材４が透明な材質により構成されているので、体液が存在していない場合や体液が透明である場合には、そのままの状態でも内視鏡の視界が確保されている。したがって、目的の観察部位まで内視鏡によって観察しながら挿入部３を挿入していくことができる。
【００３３】
そして、挿入部３の先端が有色の体液を保有する臓器、例えば、血管や腎臓内に挿入されたときには、体液によって視界が失われることになる。この場合には、挿入部３の基端側に配置されている供給ポート１２から透明な流体Ｂ、例えば生理食塩水を供給する。これにより、流体Ｂは、供給ポート１２に接続する鉗子チャネル５とシャフト６との間の管状の隙間を介して挿入部１２の先端まで導かれ、バルーン部材４によって形成された閉空間Ａ内に供給される。
【００３４】
そして、流体Ｂがバルーン部材４内に供給されると、図６に示されるようにバルーン部材４が膨張させられて、その外表面が臓器の内面に密着させられる。これにより、挿入部３の先端面３ａと臓器内面との間に存在していた有色の体液が排除され、内視鏡による視界が確保される。
【００３５】
また、本実施形態においては、シャフト６に長手方向に貫通する処置用チャネル１１が設けられているので、処置用ポート８側の開口部から挿入した処置具を処置用チャネル１１を介してバルーン部材４よりも前方に突出させ、臓器内面の処置を行うことができる。この場合に、体液を排除して視界を確保した状態で処置具による処置を確実に行うことができる。
【００３６】
なお、本実施形態においては、バルーン部材４をシャフト６によって略円錐状に張ることにより先細の先端形状を形成することとしたが、これに代えて、図７に示されるように、円筒を軸線に対して傾斜する方向に切断した形態のキャップ１３と、該キャップ１３の傾斜面１３ａからなる開口部に弾性材料からなる透明な膜状部材１４を貼り付けることにしてもよい。このようにすることで、先細の形態による挿入性の向上と、膜状部材１４を鎖線で示すように膨張させることによる視界の確保とを行うことができる。
【００３７】
また、図８に示されるように、２方向に設けた傾斜面１３ａにそれぞれ膜状部材１４を貼り付けることにしてもよい。
また、本実施形態においては、生理食塩水のような透明な液体Ｂによってバルーン部材４を膨張させることとしたが、これに代えて、他の透明な流体Ｂを供給してもよい。また、図９に示されるように、鉗子チャネル５とシャフト６との間の隙間を介して導いたワイヤ１５によってバルーン部材４を膨張させることにしてもよい。
【００３８】
また、本発明においては、内視鏡の挿入部３の先端に取り付ける内視鏡用アダプタ１について説明したが、挿入部３の先端に一体的にバルーン部材４等の膜状部材を備えた内視鏡装置を構成することにしてもよい。
【符号の説明】
【００３９】
Ｂ  流体（拡張手段）
１  内視鏡用アダプタ
３  挿入部
３ａ  先端面
４  バルーン部材（膜状部材）
４ａ  開口部（貫通孔）
５  鉗子チャネル（チャネル）
６  シャフト（先鋭端形成手段）
１１  処置用チャネル
１１ａ  先端開口部
１３  キャップ（先鋭端形成手段）
１３ａ  開口部
１４  膜状部材
１５  ワイヤ（拡張手段）
【図１】
2010253174.tif 000003
【図２】
2010253174.tif 000004
【図３】
2010253174.tif 000005
【図４】
2010253174.tif 000006
【図５】
2010253174.tif 000007
【図６】
2010253174.tif 000008
【図７】
2010253174.tif 000009
【図８】
2010253174.tif 000010
【図９】
2010253174.tif 000011